(57)【特許請求の範囲】
【請求項１】
ワイヤレスローカルエリアネットワークにおいてフィードバック情報を伝送する方法であって、
単一の応答ステーションによって、要求ステーションからの空間分割多重接続（ＳＤＭＡ）伝送に対するＳＤＭＡ情報を受信することであって、前記ＳＤＭＡ情報は、アドレスフィールドと第１の数フィールドとを含み、前記アドレスフィールドは、前記単一の応答ステーションを示し、前記第１の数フィールドは、前記単一の応答ステーションにより使用される第１の空間ストリームの数を示す、ことと、
前記単一の応答ステーションによって、フィードバック情報を前記要求ステーションに伝送することと
を包含し、前記フィードバック情報は、前記第１の空間ストリームの数に従って前記単一の応答ステーションにより測定されたチャネル推定情報を含み、前記ＳＤＭＡ情報は、前記チャネル推定情報が測定される帯域幅を示す帯域幅フィールドをさらに含み、前記要求ステーションは、前記フィードバック情報を要求するアクセスポイント（ＡＰ）であり、前記単一の応答ステーションは、前記ＳＤＭＡ情報に応答して前記フィードバック情報を伝送する非ＡＰステーションである、方法。
【請求項２】
前記ＳＤＭＡ情報は、ＳＤＭＡ情報フレームで伝送される、請求項１に記載の方法。
【請求項３】
前記ＳＤＭＡ情報は、持続時間フィールドをさらに含み、前記持続時間フィールドは、前記フィードバック情報を伝送するために前記応答ステーションに対して要求される推定時間を示す、請求項２に記載の方法。
【請求項４】
ワイヤレスローカルエリアネットワークにおいてフィードバック情報を伝送するワイヤレス装置であって、前記ワイヤレス装置は、メモリおよびプロセッサを備え、前記プロセッサは、
要求ステーションからの空間分割多重接続（ＳＤＭＡ）伝送に対するＳＤＭＡ情報を受信することであって、前記ＳＤＭＡ情報は、アドレスフィールドと第１の数フィールドとを含み、前記アドレスフィールドは、前記ワイヤレス装置を示し、前記第１の数フィールドは、前記ワイヤレス装置により使用される第１の空間ストリームの数を示す、ことと、
フィードバック情報を前記要求ステーションに伝送することと
を行うように構成され、前記フィードバック情報は、前記第１の空間ストリームの数に従って前記ワイヤレス装置により測定されたチャネル推定情報を含み、前記ＳＤＭＡ情報は、前記チャネル推定情報が測定される帯域幅を示す帯域幅フィールドをさらに含み、前記要求ステーションは、前記フィードバック情報を要求するアクセスポイント（ＡＰ）であり、前記ワイヤレス装置は、前記ＳＤＭＡ情報に応答して前記フィードバック情報を伝送する非ＡＰステーションである、ワイヤレス装置。
【請求項５】
前記ＳＤＭＡ情報は、ＳＤＭＡ情報フレームで伝送される、請求項４に記載のワイヤレス装置。
【請求項６】
前記ＳＤＭＡ情報は、持続時間フィールドをさらに含み、前記持続時間フィールドは、前記フィードバック情報を伝送するために前記ワイヤレス装置に対して要求される推定時間を示す、請求項５に記載のワイヤレス装置。
【請求項７】
ワイヤレスローカルエリアネットワーク内の複数のステーションに対するデータを伝送する方法であって、
アクセスポイント（ＡＰ）により、前記複数のステーションに空間分割多重接続（ＳＤＭＡ）情報を伝送することであって、前記ＳＤＭＡ情報は、複数のＳＤＭＡフレームを含み、前記複数のＳＤＭＡフレームの各々は、アドレスフィールドと第１の数フィールドとを含み、前記アドレスフィールドは、前記複数のステーションの各々を示し、前記第１の数フィールドは、対応するステーションにより使用される第１の空間ストリームの数を示す、ことと、
前記ＡＰにより、前記複数のステーションの各々からフィードバック情報を受信することと、
前記ＡＰにより、前記フィードバック情報に基づいて、データを、前記複数のステーションのうちの少なくとも１つのステーションに伝送することと
を包含し、前記フィードバック情報は、前記第１の空間ストリームの数に従って前記複数のステーションの各々により測定されたチャネル推定情報を含み、前記ＳＤＭＡ情報は、前記チャネル推定情報が測定される帯域幅を示す帯域幅フィールドをさらに含み、前記複数のステーションは、複数の非ＡＰステーションである、方法。
【請求項８】
前記ＳＤＭＡ情報は、持続時間フィールドをさらに含み、前記持続時間フィールドは、前記フィードバック情報を伝送するために各ステーションに対して要求される推定時間を示す、請求項７に記載の方法。
【請求項９】
ワイヤレスローカルエリアネットワーク内の複数のステーションに対するデータを伝送するワイヤレス装置であって、前記ワイヤレス装置は、メモリおよびプロセッサを備え、前記プロセッサは、
前記複数のステーションに空間分割多重接続（ＳＤＭＡ）情報を伝送することであって、前記ＳＤＭＡ情報は、複数のＳＤＭＡフレームを含み、前記複数のＳＤＭＡフレームの各々は、アドレスフィールドと第１の数フィールドとを含み、前記アドレスフィールドは、前記複数のステーションの各々を示し、前記第１の数フィールドは、対応するステーションにより使用される第１の空間ストリームの数を示す、ことと、
前記複数のステーションの各々からフィードバック情報を受信することと、
前記フィードバック情報に基づいて、データを、前記複数のステーションのうちの少なくとも１つのステーションに伝送することと
を行うように構成され、前記フィードバック情報は、前記第１の空間ストリームの数に従って前記複数のステーションの各々により測定されたチャネル推定情報を含み、前記ＳＤＭＡ情報は、前記チャネル推定情報が測定される帯域幅を示す帯域幅フィールドをさらに含み、前記ワイヤレス装置は、アクセスポイント（ＡＰ）であり、前記複数のステーションは、複数の非ＡＰステーションである、ワイヤレス装置。
【請求項１０】
前記ＳＤＭＡ情報は、持続時間フィールドをさらに含み、前記持続時間フィールドは、前記フィードバック情報を伝送するために各ステーションに対して要求される推定時間を示す、請求項９に記載のワイヤレス装置。
【発明の詳細な説明】
【技術分野】
【０００１】
本発明は、無線ローカル接続ネットワーク（Ｗｉｒｅｌｅｓｓ  Ｌｏｃａｌ  Ａｃｃｅｓｓ  Ｎｅｔｗｏｒｋ；ＷＬＡＮ）に関し、より具体的には、ＶＨＴ（Ｖｅｒｙ  Ｈｉｇｈ  Ｔｈｒｏｕｇｈｐｕｔ）ＷＬＡＮシステムにおける無線リソースを割り当てる方法に関する。
【背景技術】
【０００２】
最近、情報通信技術の発展とともに多様な無線通信技術が開発されている。このうち、無線ＬＡＮ（ｗｉｒｅｌｅｓｓ  ｌｏｃａｌ  ａｒｅａ  ｎｅｔｗｏｒｋ；ＷＬＡＮ）は、無線周波数技術に基づいて個人携帯用情報端末機（Ｐｅｒｓｏｎａｌ  Ｄｉｇｉｔａｌ  Ａｓｓｉｓｔａｎｔ；ＰＤＡ）、ラップトップコンピュータ、携帯型マルチメディアプレイヤ（Ｐｏｒｔａｂｌｅ  Ｍｕｌｔｉｍｅｄｉａ  Ｐｌａｙｅｒ；ＰＭＰ）などのような携帯型端末機を用いて家庭や企業または特定サービス提供地域で無線でインターネットに接続することができるようにする技術である。
【０００３】
ＷＬＡＮ技術の標準化機構であるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２が１９８０年２月に設立された以来、多くの標準化作業が実行されている。
【０００４】
初期のＷＬＡＮ技術は、ＩＥＥＥ８０２．１１を介して２．４ＧＨｚ周波数を使用して周波数ホッピング、帯域拡散、赤外線通信などにより１〜２Ｍｂｐｓの速度をサポートした以来、最近にはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）を適用して最大５４Ｍｂｐｓの速度をサポートすることができる。その他、ＩＥＥＥ８０２．１１では、ＱｏＳ（Ｑｕａｌｉｔｙ  ｆｏｒ  Ｓｅｒｖｉｃｅ）の向上、アクセスポイント（Ａｃｃｅｓｓ  Ｐｏｉｎｔ）プロトコル互換、セキュリティ強化（Ｓｅｃｕｒｉｔｙ  Ｅｎｈａｎｃｅｍｅｎｔ）、無線リソース測定（Ｒａｄｉｏ  Ｒｅｓｏｕｒｃｅ  ｍｅａｓｕｒｅｍｅｎｔ）、車両環境のための無線接続（Ｗｉｒｅｌｅｓｓ  Ａｃｃｅｓｓ  Ｖｅｈｉｃｕｌａｒ  Ｅｎｖｉｒｏｎｍｅｎｔ）、速いローミング（Ｆａｓｔ  Ｒｏａｍｉｎｇ）、メッシュネットワーク（Ｍｅｓｈ  Ｎｅｔｗｏｒｋ）、外部ネットワークとの相互作用（Ｉｎｔｅｒｗｏｒｋｉｎｇ  ｗｉｔｈ  Ｅｘｔｅｒｎａｌ  Ｎｅｔｗｏｒｋ）、無線ネットワーク管理（Ｗｉｒｅｌｅｓｓ  Ｎｅｔｗｏｒｋ  Ｍａｎａｇｅｍｅｎｔ）等、多様な技術の標準を実用化または開発中である。
【０００５】
ＩＥＥＥ８０２．１１におけるＩＥＥＥ８０２．１１ｂは、２．４ＧＨｚ帯域の周波数を使用し、最高１１Ｍｂｓの通信速度をサポートする。ＩＥＥＥ８０２．１１ｂ以後に商用化されたＩＥＥＥ８０２．１１ａは、２．４ＧＨｚ帯域でない５ＧＨｚ帯域の周波数を使用することによって、相当混雑した２．４ＧＨｚ帯域の周波数に比べて干渉に対する影響を減らし、ＯＦＤＭ技術を使用して通信速度を最大５４Ｍｂｐｓまで向上させた。然しながら、ＩＥＥＥ８０２．１１ａは、ＩＥＥＥ８０２．１１ｂに比べて通信距離が短いという短所がある。また、ＩＥＥＥ８０２．１１ｇは、ＩＥＥＥ８０２．１１ｂと同様に、２．４ＧＨｚ帯域の周波数を使用して最大５４Ｍｂｐｓの通信速度を具現し、後方互換性（Ｂａｃｋｗａｒｄ  Ｃｏｍｐａｔｉｂｉｌｉｔｙ）を満たしているため、相当な注目を浴びており、通信距離においてもＩＥＥＥ８０２．１１ａより優位にある。
【０００６】
無線ＬＡＮで弱点と指摘されてきた通信速度に対する限界を克服するために比較的最近に制定された技術規格としてＩＥＥＥ８０２．１１ｎがある。ＩＥＥＥ８０２．１１ｎの目的は、ネットワークの速度と信頼性を増加させ、無線ネットワークの運営距離を拡張することである。
【０００７】
より具体的に、ＩＥＥＥ８０２．１１ｎでは、データ処理速度が最大５４０Ｍｂｐｓ以上であるＨＴ（Ｈｉｇｈ  Ｔｈｒｏｕｇｈｐｕｔ）をサポートし、また、送信エラーを最小化し、データ速度を最適化するために送信部と受信部の両方ともに多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基づいている。
【０００８】
また、この規格は、データ信頼性を高めるために重複される写本を複数個送信するコーディング方式を使用するだけでなく、速度を増加させるためにＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）を使用することもできる。
【０００９】
ＷＬＡＮの普及が活性化され、また、これを用いたアプリケーションが多様化されることによって、最近にはＩＥＥＥ８０２．１１ｎがサポートするデータ処理速度より高い処理率をサポートするための新たなＷＬＡＮシステムに対する必要性が台頭されている。ＶＨＴ（Ｖｅｒｙ  Ｈｉｇｈ  ＴｈｒｏｕｇｈｐｕｔＴ）システムは、１Ｇｂｐｓ以上のデータ処理速度をサポートするために最近に新たに提案されているＩＥＥＥ８０２．１１ＷＬＡＮシステムのうち一つである。ＶＨＴシステムという名称は任意である。現在、１Ｇｂｐｓ以上のスループット（ｔｈｒｏｕｇｈｐｕｔ）を提供するために４×４ＭＩＭＯ及び８０ＭＨｚまたはその以上のチャネルバンド幅を使用すると共にチャネル接続技法としてＳＤＭＡ（Ｓｐａｔｉａｌ  Ｄｉｖｉｓｉｏｎ  Ｍｕｌｔｉｐｌｅ  Ａｃｃｅｓｓ）技法を使用するＶＨＴシステムに対する実現可能性テスト（ｆｅａｓｉｂｉｌｉｔｙ  ｔｅｓｔ）が進行されている。
【００１０】
ＩＥＥＥ８０２．１１ｎ無線ＬＡＮシステムや他の無線ＬＡＮシステムで使われている既存のチャネル接続メカニズムは、１Ｇｂｐｓ以上のスループットを提供しようとする無線ＬＡＮシステム（以下、‘ＶＨＴ（Ｖｅｒｙ  Ｈｉｇｈ  Ｔｈｒｏｕｇｈｐｕｔ）ＷＬＡＮシステム’という）のチャネル接続メカニズムであり、そのまま適用することができない。その理由は、既存のＷＬＡＮシステムは２０ＭＨｚまたは４０ＭＨｚのチャネル帯域幅を前提としたものであるため、このような狭いチャネル帯域幅ではＳＡＰ（Ｓｅｒｖｉｃｅ  Ａｃｃｅｓｓ  Ｐｏｉｎｔ）で１Ｇｂｐｓ以上のスループットを達成することができない。従って、ＶＨＴ  ＷＬＡＮシステムでは少なくとも８０ＭＨｚのチャネル帯域幅を使用する。
【００１１】
従って、ＶＨＴ  ＢＳＳ（Ｂａｓｉｃ  Ｓｅｒｖｉｃｅ  Ｓｅｔ）が１Ｇｂｐｓ以上の総スループットを満たすためには複数のＶＨＴ  ＳＴＡが效率的に同時にチャネル（ｃｈａｎｎｅｌ）を使用する必要がある。複数のＶＨＴ  ＳＴＡが效率的に同時にチャネルを使用するために、ＶＨＴ  ＡＰはＳＤＭＡを使用する。即ち、複数のＶＨＴ  ＳＴＡがＶＨＴ  ＡＰとデータ送受信を同時にすることが許容される。そのために、ＶＨＴ  ＡＰは、ＶＨＴ  ＳＴＡに比べて多くのＰＨＹ（ｐｈｙｓｉｃａｌ）インターフェース（ｉｎｔｅｒｆａｃｅ）を有している必要がある。即ち、ＶＨＴ  ＡＰは、ＶＨＴ  ＳＴＡより多くの数のアンテナを必要とする。
【００１２】
例えば、ＶＨＴ  ＳＴＡが４個のＰＨＹインターフェースを有しており、ＶＨＴ  ＡＰが８個のＰＨＹインターフェースを有している場合、一つのＶＨＴ  ＳＴＡが４個のデータストリームをＶＨＴ  ＡＰに送信する場合、最大２個のＶＨＴ  ＳＴＡが同時にＶＨＴ  ＡＰにデータストリームを送信することができる。一つのＶＨＴ  ＳＴＡが２個のデータストリームをＶＨＴ  ＡＰに送受信すると仮定すれば、最大４個のＶＨＴ  ＳＴＡが同時にＶＨＴ  ＡＰとデータストリームを送受信することができる。
【００１３】
ＶＨＴシステムにおける無線リソース利用（ｕｔｉｌｉｚａｔｉｏｎ）を最適化するために、ＰＨＹインターフェースを各々のＶＨＴ  ＳＴＡに動的に分配する必要がある。例えば、ＶＨＴ  ＡＰ  ＳＴＡが８個のＰＨＹインターフェースを有しており、ＶＨＴ  ｎｏｎ−ＡＰ  ＳＴＡが４個のＰＨＹインターフェースを有していると仮定する。ＶＨＴ  ｎｏｎ−ＡＰ  ＳＴＡ４個が同時にＶＨＴ  ＡＰ  ＳＴＡと送受信するためには、ＶＨＴ  ＡＰ  ＳＴＡはＶＨＴ  ＳＴＡにＰＨＹインターフェースを２個まで使用するようにしなければならない。ＶＨＴ  ＡＰは、最大８個のストリーム（ｓｔｒｅａｍ）のみをＳＤＭＡを介してサポートするためである。
【００１４】
この場合、ＶＨＴ  ＡＰは、各々のＶＨＴ  ＳＴＡが送信するデータのアクションカテゴリ（ＡＣ  Ｃａｔｅｇｏｒｙ）の数、競争するＶＨＴ  ＳＴＡの個数を総合的に考慮して決定することができる。
【発明の概要】
【発明が解決しようとする課題】
【００１５】
本発明は、無線ＬＡＮ環境で多重アンテナを介するデータ送信の際、割当可能な無線リソースまたはインターフェースの数に適する無線リソース割当及びデータ送信方法を提供しようとする。本発明は、無線リソースを要請し、無線リソースの割当を受けるにあたって競争する他のステイションの送信量を総合的に考慮する。
【課題を解決するための手段】
【００１６】
本発明の一態様による無線リソース割当方法は、ダウンリンク送信のためのＳＤＭＡ（Ｓｐａｃｅ  Ｄｉｖｉｓｉｏｎ  Ｍｕｌｔｉｐｌｅ  Ａｃｃｅｓｓ）情報を受信する段階、前記ＳＤＭＡ情報によってダウンリンク送信されるデータストリームに相応するチャネルに対するチャネル推定結果を送信する段階、及び前記チャネル推定結果によって各チャネルを介して前記データストリームを受信する段階を含む。
【００１７】
本発明の他の態様による無線リソース割当方法は、競争基盤のチャネルアクセス過程で、ＡＰ（ａｃｃｅｓｓ  ｐｏｉｎｔ）にアップリンク送信されるデータストリームの個数に対する情報を送信する段階、前記ＡＰが前記データストリームを受信するために使用されるＰＨＹインターフェースの個数情報を含む無線リソース割当情報を受信する段階、及び前記データストリームの個数と前記ＰＨＹインターフェースの個数のうち少ない値による無線リソースの割当を受ける段階を含む。
【００１８】
なお、本発明の他の態様による無線ＬＡＮシステムにおける無線リソース割当及びデータ送信を実行する端末は、プロセッサ、及びＲＦ部を含み、前記ＲＦ部は、前記プロセッサが生成したアップリンク送信するデータストリームの個数情報を送信し、無線リソース割当情報を受信し、前記プロセッサは、前記無線リソース割当情報によって割当されるインターフェースに相応してデータストリームの送信を制御する。
本発明は、例えば以下の項目を提供する。
（項目１）
ダウンリンク送信のためのＳＤＭＡ（Ｓｐａｃｅ  Ｄｉｖｉｓｉｏｎ  Ｍｕｌｔｉｐｌｅ  Ａｃｃｅｓｓ）情報を受信する段階；
前記ＳＤＭＡ情報によってダウンリンク送信されるデータストリームに相応するチャネルに対するチャネル推定結果を送信する段階；及び、
前記チャネル推定結果によって各チャネルを介して前記データストリームを受信する段階；を含む無線リソース割当方法。
（項目２）
前記ＳＤＭＡ情報は、送信される前記データストリームの個数情報を含むことを特徴とする項目１に記載の無線リソース割当方法。
（項目３）
前記ＳＤＭＡ情報は、前記データストリームの送信のために使われるチャネル帯域幅情報をさらに含むことを特徴とする項目２に記載の無線リソース割当方法。
（項目４）
競争基盤のチャネルアクセス過程で、ＡＰ（ａｃｃｅｓｓ  ｐｏｉｎｔ）にアップリンク送信されるデータストリームの個数に対する情報を送信する段階；
前記ＡＰが前記データストリームを受信するために使用されるＰＨＹインターフェースの個数情報を含む無線リソース割当情報を受信する段階；及び、
前記データストリームの個数と前記ＰＨＹインターフェースの個数のうち少ない値による無線リソースの割当を受ける段階；を含む無線リソース割当方法。
（項目５）
前記データストリームの個数情報は、ＲＴＳ（Ｒｅｑｕｅｓｔ  ｔｏ  Ｓｅｎｄ）フレームに含まれることを特徴とする項目４に記載の無線リソース割当方法。
（項目６）
前記無線リソース割当情報は、前記ＲＴＳフレームに応答して送信されるＣＴＳ（Ｃｌｅａｒ  ｔｏ  Ｓｅｎｄ）フレームに含まれることを特徴とする項目４に記載の無線リソース割当方法。
（項目７）
前記無線リソース割当情報は、前記ＡＰがさらに割り当てることができる残っている（ａｖａｉｌａｂｌｅ）ＰＨＹインターフェースの個数情報をさらに含むことを特徴とする項目４に記載の無線リソース割当方法。
（項目８）
前記残っているＰＨＹインターフェースの個数が０に設定された前記ＲＴＳフレームを受信した場合、ＮＡＶ（ｎｅｔｗｏｒｋ  ａｌｌｏｃａｔｉｏｎ  ｖｅｃｔｏｒ）を再設定する段階をさらに含む項目７に記載の無線リソース割当方法。
（項目９）
前記ＡＰから前記データフレームのアップリンク送信のための送信機会の持続時間に対する情報を含むＳＤＭＡフレームを受信する段階をさらに含む項目４に記載の無線リソース割当方法。
（項目１０）
前記送信機会の持続時間が満了された場合、ＮＡＶを再設定する段階をさらに含む項目９に記載の無線リソース割当方法。
（項目１１）
前記無線リソース割当情報によって前記データストリームを送信する段階をさらに含む項目４に記載の無線リソース割当方法。
（項目１２）
無線ＬＡＮシステムにおける無線リソース割当及びデータ送信を実行する端末において、
プロセッサ；及び、
ＲＦ部；を含み、
前記ＲＦ部は、前記プロセッサが生成したアップリンク送信するデータストリームの個数情報を送信し、無線リソース割当情報を受信し、前記プロセッサは、前記無線リソース割当情報によって割当されるインターフェースに相応してデータストリームの送信を制御することを特徴とする端末。
【発明の効果】
【００１９】
本発明の実施例によると、チャネルアクセス時に送信されるデータ量または要求される無線リソースの量に対する情報を予め共有することによってシステム内のステイションの無線リソース利用または要請状況を全体的に考慮することができる。また、残っている無線リソースの量に対する情報をステイションが予め獲得することによって、不必要な競争や制御信号の送信を防止することができる。また、オーバーヘッドやリソース浪費を防止することができる。
【図面の簡単な説明】
【００２０】
【図１】本発明の実施例に係るＶＨＴ無線ＬＡＮシステムの一例に対する構成を簡略に示す。
【図２】本発明の一実施例に係るダウンリンク送信のための無線リソース割当方法を示すフローチャートである。
【図３】図２に示す実施例によって送信されるＳＤＭＡ情報の一例を示す。
【図４】本発明の一実施例に係るアップリンク送信のための無線リソース割当方法を示すフローチャートである。
【図５】図４に示す実施例によって送信されるＲＴＳフレームの一例を示す。
【図６】図４に示す実施例によって送信されるＣＴＳフレームの一例を示す。
【図７】本発明の他の実施例に係るアップリンク送信のための無線リソース割当及びデータストリーム送信方法を示す。
【図８】図４または図７に示す実施例で送信されるＳＤＭＡ情報フレームの例を示す。
【図９】本発明の実施例に係る無線リソース割当方法が実行される端末を示す。
【発明を実施するための形態】
【００２１】
図１は、本発明の実施例が適用されることができるＶＨＴ  ＷＬＡＮシステムの一例に対する構成を簡略に示す。
【００２２】
図１を参照すると、ＶＨＴ  ＷＬＡＮシステムのようなＷＬＡＮシステムは、一つまたはその以上のＢＳＳ（Ｂａｓｉｃ  Ｓｅｒｖｉｃｅ  Ｓｅｔ）を含む。ＢＳＳは、成功的に同期化を行って互いに通信することができるＳＴＡ（Ｓｔａｔｉｏｎ）の集合であり、特定領域を示す概念ではない。また、本発明の実施例が適用されることができるＷＬＡＮシステムのように、ＭＡＣ  ＳＡＰで１ＧＨｚ以上の超高速データ処理をサポートするＢＳＳをＶＨＴ（Ｖｅｒｙ  Ｈｉｇｈ  Ｔｈｒｏｕｇｈｐｕｔ）ＢＳＳという。
【００２３】
ＶＨＴ  ＢＳＳもインフラストラクチャＢＳＳ（ｉｎｆｒａｓｔｒｕｃｔｕｒｅ  ＢＳＳ）と独立ＢＳＳ（Ｉｎｄｅｐｅｎｄｅｎｔ  ＢＳＳ；ＩＢＳＳ）に区分することができ、図１にはインフラストラクチャＢＳＳが示されている。
【００２４】
インフラストラクチャＢＳＳ（ＢＳＳ１、ＢＳＳ２）は、一つまたはその以上の非ＡＰ  ＳＴＡ（Ｎｏｎ−ＡＰ  ＳＴＡ１、Ｎｏｎ−ＡＰ  ＳＴＡ３、Ｎｏｎ−ＡＰ  ＳＴＡ４）、分散サービス（Ｄｉｓｔｒｉｂｕｔｉｏｎ  Ｓｅｒｖｉｃｅ）を提供するＳＴＡであるアクセスポイント（ＡＰ  ＳＴＡ１、ＡＰ  ＳＴＡ２）、及び複数のアクセスポイント（ＡＰ  ＳＴＡ１、ＡＰ  ＳＴＡ２）を連結させる分散システム（Ｄｉｓｔｒｉｂｕｔｉｏｎ  Ｓｙｓｔｅｍ；ＤＳ）を含む。インフラストラクチャＢＳＳではＡＰ  ＳＴＡがＢＳＳのＮｏｎ−ＡＰ  ＳＴＡを管理する。
【００２５】
一方、ＩＢＳＳはアドホックモードに動作するＢＳＳである。ＩＢＳＳは、ＡＰ  ＶＨＴ  ＳＴＡを含まないため、中央で管理機能を遂行する個体（Ｃｅｎｔｒａｌｉｚｅｄ  Ｍａｎａｇｅｍｅｎｔ  Ｅｎｔｉｔｙ）がない。即ち、ＩＢＳＳでは非ＡＰ  ＳＴＡが分散された方式（ｄｉｓｔｒｉｂｕｔｅｄ  ｍａｎｎｅｒ）に管理される。ＩＢＳＳでは、全てのＳＴＡが移動ＳＴＡからなることができ、ＤＳへの接続が許容されなくて自己完備的ネットワーク（ｓｅｌｆ−ｃｏｎｔａｉｎｅｄ  ｎｅｔｗｏｒｋ）を構成する。
【００２６】
ＳＴＡは、ＩＥＥＥ８０２．１１標準の規定によるＭＡＣ（Ｍｅｄｉｕｍ  Ａｃｃｅｓｓ  Ｃｏｎｔｒｏｌ；ＭＡＣ）と無線媒体に対するＰＨＹ（Ｐｈｙｓｉｃａｌ）インターフェースを含む任意の機能媒体であり、広義ではＡＰと非ＡＰ（Ｎｏｎ−ＡＰ）ＳＴＡの両方とも含む。また、後述するような多重チャネル環境で１ＧＨｚ以上の超高速データ処理をサポートするＳＴＡをＶＨＴ  ＳＴＡという。本発明の実施例が適用されることができるＶＨＴ  ＷＬＡＮシステムでは、前記ＢＳＳに含まれるＳＴＡは、全部ＶＨＴ  ＳＴＡ、或いはＶＨＴ  ＳＴＡとレガシＳＴＡ（例えば、ＩＥＥＥ８０２．１１ｎによるＨＴ  ＳＴＡ）が共存することもできる。
【００２７】
無線通信のためのＳＴＡは、プロセッサ（Ｐｒｏｃｅｓｓｏｒ）とトランシーバ（ｔｒａｎｓｃｅｉｖｅｒ）を含み、ユーザインターフェースとディスプレイ手段などを含む。プロセッサは、無線ネットワークを介して送信するフレームを生成したり、或いは前記無線ネットワークを介して受信されたフレームを処理するように考案された機能ユニットであり、ＳＴＡを制御するための多様な機能を遂行する。また、トランシーバは、前記プロセッサと機能的に連結されており、ＳＴＡのために無線ネットワークを介してフレームを送受信するように考案されたユニットである。
【００２８】
ＳＴＡのうちユーザが操作する携帯用端末は、非ＡＰ  ＳＴＡ（Ｎｏｎ−ＡＰ  ＳＴＡ；ＳＴＡ１、ＳＴＡ３、ＳＴＡ４、ＳＴＡ５）であり、単純に‘ＳＴＡ’という時は、非ＡＰ  ＳＴＡを意味する。非ＡＰ  ＳＴＡは、ターミナル（ｔｅｒｍｉｎａｌ）、ＷＴＲＵ（Ｗｉｒｅｌｅｓｓ  Ｔｒａｎｓｍｉｔ／Ｒｅｃｅｉｖｅ  Ｕｎｉｔ）、ＵＥ（Ｕｓｅｒ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、または移動サブスクライバユニット（Ｍｏｂｉｌｅ  Ｓｕｂｓｃｒｉｂｅｒ  Ｕｎｉｔ）など、他の名称で呼ばれることもできる。また、後述するような多重チャネル環境で１ＧＨｚ以上の超高速データ処理をサポートする非ＡＰ  ＳＴＡをＮｏｎ−ＡＰ  ＶＨＴ  ＳＴＡまたは簡単にＶＨＴ  ＳＴＡという。
【００２９】
また、ＡＰ（ＡＰ１、ＡＰ２）は、該当ＡＰに結合された（Ａｓｓｏｃｉａｔｅｄ）ＳＴＡのために無線媒体を経由してＤＳに対する接続を提供する機能個体である。ＡＰを含むインフラストラクチャＢＳＳにおける非ＡＰ  ＳＴＡ間の通信はＡＰを経由して行われることが原則であるが、ダイレクトリンクが設定された場合には非ＡＰ  ＳＴＡ間でも直接通信が可能である。ＡＰ外に、集中制御器、ＢＳ（Ｂａｓｅ  Ｓｔａｔｉｏｎ）、ノードＢ、ＢＴＳ（Ｂａｓｅ  Ｔｒａｎｓｃｅｉｖｅｒ  Ｓｙｓｔｅｍ）、またはサイト制御器などで呼ばれることもできる。また、後述するような多重チャネル環境で１ＧＨｚ以上の超高速データ処理をサポートするＡＰをＶＨＴ  ＡＰという。
【００３０】
複数のインフラストラクチャＢＳＳは、分散システム（Ｄｉｓｔｒｉｂｕｔｉｏｎ  Ｓｙｓｔｅｍ；ＤＳ）を介して相互連結されることができる。ＤＳを介して連結された複数のＢＳＳをＥＳＳ（Ｅｘｔｅｎｄｅｄ  Ｓｅｒｖｉｃｅ  Ｓｅｔ）という。ＥＳＳに含まれるＳＴＡは互いに通信することができ、同じＥＳＳ内で非ＡＰ  ＳＴＡはシームレス通信しつつ、一つのＢＳＳから他のＢＳＳに移動することができる。
【００３１】
ＤＳは、一つのＡＰが他のＡＰと通信するためのメカニズムであり、これによると、ＡＰ自体が管理するＢＳＳに結合されているＳＴＡのためにフレームを送信したり、或いはいずれか一つのＳＴＡが他のＢＳＳに移動した場合にフレームを伝達したり、或いは有線ネットワークなどのような外部ネットワークとフレームを伝達することができる。このようなＤＳは、必ずネットワークである必要はなく、ＩＥＥＥ８０２．１１に規定された所定の分散サービスが提供できる限り、その形態に対しては何らの制限がない。例えば、ＤＳは、メッシュネットワークのような無線ネットワーク、或いはＡＰを互いに連結させる物理的な構造物である。
【００３２】
図２は、本発明の一実施例に係るダウンリンク送信のための無線リソース割当方法を示すフローチャートである。
【００３３】
本実施例に係る無線リソース割当方法で、ＳＴＡは、ＡＰからダウンリンク送信のためのＳＤＭＡ（Ｓｐａｃｅ  Ｄｉｖｉｓｉｏｎ  Ｍｕｌｔｉｐｌｅ  Ａｃｃｅｓｓ）情報を受信する（Ｓ２１０）。ＳＤＭＡ情報には何個のＰＨＹインターフェースによりデータストリームを送信するかに対する情報、即ち、送信されるデータストリームの個数情報が含まれる。また、ＳＤＭＡ情報にはデータストリームのダウンリンク送信のために使われるチャネル帯域幅情報がさらに含まれることができる。
【００３４】
ＳＤＭＡ情報を受信したＳＴＡは、ダウンリンク送信されるデータストリームに相応するチャネルに対するチャネル推定結果を送信する（Ｓ２２０）。ただし、チャネル推定及びチャネル推定の結果送信は、ＳＤＭＡ情報送信以前に予め実行されることもできる。また、ＡＰは、チャネル推定結果によって各チャネルを介して前記データストリームを送信する（Ｓ２３０）。もし、複数のデータストリームが同時に送信されるチャネル間にチャネル相関度が高い、或いは互いに干渉として作用するおそれのあるチャネルが存在する場合、ＡＰはチャネル相関度が低いチャネルに変更したり、或いは送信時点を変更することができる。
【００３５】
図３は、図２に示す実施例によって送信されるＳＤＭＡ情報の一例を示す。
【００３６】
ＳＤＭＡ情報は、ＳＤＭＡ情報フレームのフォーマットを有することができ、ＳＤＭＡ情報フレームは、目的ＳＴＡアドレスフィールド３１０、データストリームの個数フィールド３２０、チャネル帯域幅フィールド３３０、ＳＤＭＡ  ＴＸＯＰ持続時間フィールド３４０などのフィールドを含むことができる。
【００３７】
目的ＳＴＡアドレスフィールド３１０は、ＳＤＭＡ情報フレームを受信し、また、ダウンリンクデータストリームを受信するようになるＳＴＡのＭＡＣ（Ｍｅｄｉａ  Ａｃｃｅｓｓ  Ｃｏｎｔｒｏｌ）アドレス情報を示す。また、データストリームの個数フィールド３２０は、ＡＰがＳＴＡに同時にダウンリンク送信されるデータストリームの個数を示す。即ち、送信インターフェースの数を示す。
【００３８】
従って、ＳＴＡは、データストリームの個数フィールドを介してＡＰがデータストリームの送信のために使用するようになる無線リソース、即ち、ＰＨＹインターフェースの個数を知ることができる。チャネル帯域幅フィールド３３０は、ＡＰがデータストリームの送信に使用するチャネル帯域幅に対する情報を含む。ＳＤＭＡ  ＴＸＯＰ持続時間フィールド３４０はダウンリンク送信機会の持続時間を示す。
【００３９】
図４は、本発明の一実施例に係るアップリンク送信のための無線リソース割当方法を示すフローチャートである。図４に示す実施例を参照し、アップリンクデータの送信のためにＳＴＡがＡＰから無線リソースの割当を受ける過程はＡＰとＳＴＡを１対１の関係で説明する。
【００４０】
本発明の実施例では競争基盤のチャネルアクセス過程を前提とする。まず、ＳＴＡは、ＡＰにアップリンク送信されるデータストリームの個数に対する情報を送信する。データストリームの個数情報は、競争基盤のチャネルアクセスのためにＳＴＡがＡＰに送信するＲＴＳ（Ｒｅｑｕｅｓｔ  ｔｏ  Ｓｅｎｄ）フレームに含まれて送信されることができる（Ｓ４１０）。これによって、ＳＴＡは、ＡＰに送信する残っているデータストリームの量を知らせたり、或いは必要な量の無線リソース、特にＰＨＹインターフェースを要請することができる。
【００４１】
また、ＳＴＡは、ＡＰから割当を受ける無線リソースに対する情報を受信する。ここで、ＳＴＡが受信する無線リソース割当情報には、ＡＰが該当ＳＴＡからデータストリームを受信するために使用されるＰＨＹインターフェースの個数情報が含まれる。これをＰＨＹインターフェース割当情報ということができる。また、無線リソース割当情報には、ＡＰが今後割り当てることができるＰＨＹインターフェースの個数も含まれることができる。これは残っているＰＨＹインターフェース（ａｖａｉｌａｂｌｅ  ＰＨＹ  ｉｎｔｅｒｆａｃｅ）の個数で表現されることができ、残っているＰＨＹインターフェースの個数は、ＡＰが割り当てることができるＰＨＹインターフェースの個数から該当ＳＴＡに割り当てたＰＨＹインターフェースの個数を引いた数となる。
【００４２】
ＳＴＡは、データストリームの個数とＡＰにより割り当てられるＰＨＹインターフェースの個数のうち少ない値による無線リソースの割当を受ける。即ち、ＳＴＡが使用することを希望するＰＨＹインターフェースの個数とＡＰが割り当てることができるＰＨＹインターフェースの個数のうち小さい数のＰＨＹインターフェースがＳＴＡに割り当てられる。
【００４３】
ここで、ＰＨＹインターフェース割当情報や残っているＰＨＹインターフェース個数情報を含む無線リソース割当情報は、ＣＴＳ（Ｃｌｅａｒ  ｔｏ  Ｓｅｎｄ）フレームに含まれて送信されることができる（Ｓ４２０）。ＣＴＳフレームは、ＲＴＳフレームに応答して送信され、ＲＴＳ／ＣＴＳフレームに対して簡略に説明すると、次のようである。
【００４４】
競争基盤のチャネルアクセス過程におけるＡＰは、データフレームの送信以前にＳＴＡとＲＴＳ（Ｒｅｑｕｅｓｔ  Ｔｏ  Ｓｅｎｄ）フレーム及びＣＴＳ（Ｃｌｅａｒ  Ｔｏ  Ｓｅｎｄ）フレームを交換したり、或いはＣＴＳ−ｔｏ−ｓｅｌｆフレームをブロードキャスティングする。特に、データフレームをマルチキャスト方式に送信する場合、ＡＰは、ＲＴＳフレーム／ＣＴＳフレームの交換やＣＴＳ−ｔｏ−ｓｅｌｆフレームのブロードキャスティングを介してマルチキャストフレームの送信方式を知らせ、また、マルチキャストグループに加入していない他の端末またはレガシ端末にはマルチキャストフレームの送信が行われる中にＮＡＶ（Ｎｅｔｗｏｒｋ  Ａｌｌｏｃａｔｉｏｎ  Ｖｅｃｔｏｒ）の設定が行われるようにすることができる。ＲＴＳフレームの送信によって、データストリームの送信過程が開始され、データフレームの送信モード（例えば、全方向モードまたは方向性モード等）を知らせることができ、ＡＰは、ＣＴＳフレームを送信することによって領域が空であることを知らせることができる。
【００４５】
以後、ＳＴＡは、割当された無線リソースを用いてＡＰにデータストリームをアップリンク送信することができる。また、ＡＰは、ＳＴＡに今後割当可能な無線リソースがあるか否か、残っている無線リソースがある場合、無線リソースの量を示す情報、次回送信機会の持続時間に対する情報などが含まれたＳＤＭＡ情報を送信することができる。ＳＤＭＡ情報に関しては、以後、図８を参照してより詳細に説明する。
【００４６】
図５は、図４に示す実施例によって送信されるＲＴＳフレームの一例を示す。
【００４７】
前述したように、ＲＴＳフレームは、競争基盤チャネルアクセスのためにＳＴＡがＡＰに送信し、本発明の実施例に係るデータストリーム個数情報を含む。データストリーム個数情報は、以下、説明するデータストリームの個数フィールドに含まれることができる。
【００４８】
本発明の実施例によって送信されるＲＴＳフレームは、ソースＳＴＡアドレス（Ｓｏｕｒｃｅ  ＳＴＡ  Ａｄｄｒｅｓｓ）フィールド５１０、目的アドレス（Ｄｅｓｔｉｎａｔｉｏｎ  Ａｄｄｒｅｓｓ）フィールド５２０、データストリームの個数（Ｎｕｍｂｅｒ  ｏｆ  Ｄａｔａ  Ｓｔｒｅａｍ）フィールド５３０、チャネル帯域幅（Ｃｈａｎｎｅｌ  Ｂａｎｄｗｉｄｔｈ）フィールド５４０、ＳＤＭＡ送信機会持続時間（ＳＤＭＡ  ＴＸＯＰ  Ｄｕｒａｔｉｏｎ）フィールド５５０などを含むことができる。
【００４９】
ソースＳＴＡアドレスフィールド５１０は、該当ＲＴＳフレームを送信する送信ＳＴＡのＭＡＣアドレス（ＭＡＣ  ａｄｄｒｅｓｓ）を示す。即ち、ＲＴＳフレーム送信側（ＲＴＳ  ｆｒａｍｅ  ｔｒａｎｓｍｉｔｔｅｒ）のアドレスを示す。また、目的アドレスフィールド５２０は、該当ＲＴＳフレームを受信するようになるＡＰのＭＡＣアドレスを示すことができる。
【００５０】
データストリームの個数フィールド５３０には、ＳＴＡがアップリンク送信するデータストリームの個数を知らせる情報が含まれる。データストリームの個数情報は、該当ＳＴＡが割当を受ける無線リソース、特にＰＨＹインターフェースの個数を示すことができる。また、チャネル帯域幅フィールド５４０には、該当ＳＴＡがデータストリームの送信のために使用したり、或いは割当を受けるチャネル帯域幅を示す情報が含むことができる。
【００５１】
ＳＤＭＡ送信機会持続時間フィールド５５０は、ＳＴＡがＡＰにアップリンク送信を実行することができる送信機会の持続時間を示すフィールドである。即ち、ＳＴＡは、ＳＤＭＡ送信機会の持続時間内でアップリンクデータストリームを送信することができるようになる。このフィールドは例示に過ぎず、ＲＴＳフレームに含まれない場合もある。このフィールドでＳＤＭＡ送信機会持続時間が０に設定される場合、ＳＴＡは、ＮＡＶ（ｎｅｔｗｏｒｋ  ａｌｌｏｃａｔｉｏｎ  ｖｅｃｔｏｒ）を再設定する。
【００５２】
図６は、図４に示す実施例によって送信されるＣＴＳフレームの一例を示す。
【００５３】
ＳＴＡからＲＴＳフレームを受信したＡＰは、それに応答してＣＴＳフレームを送信する。本発明の実施例によって送信されるＣＴＳフレームは、ソースＳＴＡアドレス（Ｓｏｕｒｃｅ  ＳＴＡ  Ａｄｄｒｅｓｓ）フィールド６１０、目的アドレス（Ｄｅｓｔｉｎａｔｉｏｎ  Ａｄｄｒｅｓｓ）フィールド６２０、割当ＰＨＹインターフェースの個数（Ｎｕｍｂｅｒ  ｏｆ  Ａｌｌｏｃａｔｉｎｇ  ＰＨＹ  Ｉｎｔｅｒｆａｃｅ）フィールド６３０、残っているＰＨＹインターフェースの個数（Ｎｕｍｂｅｒ  ｏｆ  Ａｖａｉｌａｂｌｅ  ＰＨＹ  ｉｎｔｅｒｆａｃｅ）フィールド６４０、チャネル帯域幅（Ｃｈａｎｎｅｌ  Ｂａｎｄｗｉｄｔｈ）フィールド６５０、ＳＤＭＡ  ＴＸＯＰ持続時間６６０フィールドを含む。
【００５４】
ソースＳＴＡアドレスフィールド６１０は、該当ＣＴＳフレームの送信側（ＣＴＳ  ｆｒａｍｅ  ｔｒａｎｓｍｉｔｔｅｒ）であるＡＰのＭＡＣアドレスを示す。また、目的アドレスフィールド６２０は、該当ＣＴＳフレームを受信するＳＴＡのＭＡＣアドレスを示す。
【００５５】
割当ＰＨＹインターフェースの個数（Ｎｕｍｂｅｒ  ｏｆ  Ａｌｌｏｃａｔｉｎｇ  ＰＨＹ  Ｉｎｔｅｒｆａｃｅ）フィールド６３０は、ＡＰが同時に受信するデータストリームの数を示し、また、ＡＰがＳＴＡからアップリンク送信されるデータストリームのために割り当てるＲＸインターフェースの数を示す。参考に、これは割当可能な総無線リソースとは異なる概念である。
【００５６】
ＲＴＳフレームに含まれたストリームの個数とＣＴＳフレームに含まれた割当ＰＨＹインターフェースの個数のうち小さい値が該当ＳＴＡに最終的に割り当てられるＰＨＹインターフェースの個数となる。例えば、ＳＴＡがＲＴＳフレームのデータストリームの個数フィールドの値を４に設定し、ＡＰに送信した場合を仮定する。もし、総８個のＰＨＹインターフェースを有しているＡＰにまだ残っているＰＨＹインターフェースが２個の場合、ＣＴＳフレームに割当ＰＨＹインターフェースの個数フィールドの値は２に設定し、該当ＳＴＡに応答する。これは、ＡＰが実際有していたＰＨＹインターフェースに比べて、割当可能なＰＨＹインターフェースが２個のみであり、ＳＴＡが要請したＰＨＹインターフェースを全部サポートすることができないためである。
【００５７】
残っているＰＨＹインターフェースの個数フィールド６４０は、ＡＰが同時に受信可能なデータストリームの数、即ち、割り当てられずに残っている（ｒｅｍａｉｎｅｄ）ＲＸインターフェースの数を示す。また、チャネル帯域幅（Ｃｈａｎｎｅｌ  Ｂａｎｄｗｉｄｔｈ）フィールドは、ＡＰがアップリンクデータの受信に使用するチャネル帯域幅情報を含む。もし、ＣＴＳフレームに含まれた残っているＰＨＹインターフェースの個数フィールドの値が０の場合、これはＡＰが有している全てのＰＨＹインターフェースをＳＴＡに割り当てたという意味であるため、ＲＴＳフレームとＣＴＳフレームを介する無線リソース割当過程は中断される。残っているＰＨＹインターフェースの個数フィールドの値が０に設定されたＣＴＳフレームを受信した端末はＮＡＶを再設定し、次回送信機会にアップリンクデータを送信するようにする。
【００５８】
ＣＴＳフレームに含まれた残っているＰＨＹインターフェースの個数フィールドの値が０でない場合、ＶＨＴ  ｎｏｎ−ＡＰ  ＳＴＡは、ＲＴＳフレームをＶＨＴ  ＡＰ  ＳＴＡに送り続けることができる。この場合、ＳＴＡ間に競争基盤チャネルアクセス（ｃｏｎｔｅｎｔｉｏｎ  ｂａｓｅｄ  ｃｈａｎｎｅｌ  ａｃｃｅｓｓ）方式が適用される。ここでの競争基盤チャネルアクセス方式は、ＥＤＣＡ（Ｅｎｈａｎｃｅｄ  Ｄｉｓｔｒｉｂｕｔｅｄ  Ｃｈａｎｎｅｌ  Ａｃｃｅｓｓ）バックオフメカニズムを意味する。ＥＤＣＡバックオフメカニズムは、競争基盤チャネル接近方式の一つであり、ユーザ間優先順位を有するフレームに対して差別化された媒体接近を許容し、特定ＳＴＡがフレームを送信することができる一定時間を付与し、これを保障するＴＸＯＰ（Ｔｒａｎｓｍｉｓｓｉｏｎ  Ｏｐｐｏｒｔｕｎｉｔｙ）を付与する方式である。
【００５９】
残っているＰＨＹインターフェースの個数フィールドは、ＶＨＴ  ＡＰ  ＳＴＡがＶＨＴ  ｎｏｎ−ＡＰ  ＳＴＡに割当可能なＰＨＹインターフェースを意味し、余裕リソースの量を示す。余裕リソースを最小とすると、システムスループットは極大化されることができる。
【００６０】
ＳＤＭＡ  ＴＸＯＰ持続時間は、アップリンクＴＸＯＰの持続時間を示す。
【００６１】
図７は、本発明の他の実施例に係るアップリンク送信のための無線リソース割当及びデータストリーム送信方法を示す。
【００６２】
ＳＤＭＡ方式に複数のＳＴＡが同時にアップリンク送信を進行するために、ＳＴＡは、競争基盤チャネルアクセスを実行することができる。従って、ＳＴＡはＡＰにＲＴＳフレームを送信し、ＣＴＳフレームを受信する。ＡＰとＳＴＡは、ＲＴＳフレーム、ＣＴＳフレームなどをユニキャスト、マルチキャストまたはブロードキャスト方式に送信することができる。
【００６３】
前述したように、ＲＴＳフレームは、ＲＴＳフレームを送信するソースＳＴＡのアドレス情報、ＲＴＳフレームを受信する目的ＳＴＡであるＡＰのアドレス情報、ＳＴＡが送信するデータストリームの個数情報、データストリームの送信時に使用するチャネル帯域幅情報などを含むことができる。
【００６４】
ＡＰからＣＴＳフレームを受信したＳＴＡは、ＣＴＳフレームに含まれた割当ＰＨＹインターフェースの個数に該当する値の個数ほどのデータストリームをＡＰに同時に送信することができる。
【００６５】
ＡＰは、８個のＰＨＹインターフェースを有しており、総４個のＳＴＡがＡＰにアップリンクデータを送信するために競争する状況を仮定する。ＳＴＡは、ＳＴＡ１、ＳＴＡ２、ＳＴＡ３、及びＳＴＡ４で表示するようにする。
【００６６】
ＳＴＡ１は、４個のＰＨＹインターフェースを有しており、４個のデータストリームをアップリンク送信しようとする。ＳＴＡ２は、２個のＰＨＹインターフェースを有しており、２個のデータストリームを送信しようとする。ＳＴＡ３は、４個のＰＨＹインターフェースを有しており、２個のデータストリームを送信しようとし、ＳＴＡ４は、４個のＰＨＹインターフェースを有している。
【００６７】
バックオフタイムの経過後にＳＴＡ１がＲＴＳフレーム１を送信する（Ｓ７１０）。ここで、ＲＴＳフレームに含まれたデータストリーム個数は４に設定される。前述のように、ＳＴＡ１が４個のデータストリームをＡＰに同時に送信するということを知らせ、これに相応する無線リソース割当を要求することである。
【００６８】
ＡＰは、ＳＴＡ１の要請を受けてＣＴＳフレーム１を送信し（Ｓ７２０）、ＣＴＳフレーム１に含まれたＰＨＹインターフェースの個数フィールドのフィールド値を４に設定する。これは、ＡＰが有している８個のＰＨＹインターフェースのうち４個をＳＴＡ１に割り当てるということを意味する。従って、ＣＴＳフレーム１に含まれた残っているストリームの個数は４となる。これは、今後割当可能なＰＨＹインターフェースが４個ということを意味する。
【００６９】
また、ＳＴＡ２がＲＴＳフレーム２を送信する（Ｓ７３０）。ＳＴＡ２が送信するＲＴＳフレーム２にデータフレーム個数フィールドのフィールド値は２に設定される。即ち、ＳＴＡ２は２個のデータストリームを送信しようとする。ＡＰは、ＲＴＳフレーム２に応答してＣＴＳフレーム２を送信する（Ｓ７４０）。ＣＴＳフレーム２の無線リソース割当情報による割当ＰＨＹインターフェースの個数は２に設定される。また、ＳＴＡ２に割り当てた後、ＡＰに残っているＰＨＹインターフェースの個数は２個であるため、ＣＴＳフレーム２の残っているＰＨＹインターフェースの個数は２に設定される。
【００７０】
また、ＳＴＡ３もデータストリームを送信するためにＡＰにＲＴＳフレーム３を送信する（Ｓ７５０）。ＳＴＡ３は、２個のデータストリームを送信しようとするため、ＲＴＳフレーム３のデータフレーム個数は２に設定される。ＡＰは、ＳＴＡ３にＲＴＳフレーム３に応答してＣＴＳフレーム３を送信する（Ｓ７６０）。ＡＰに現在残っているＣＴＳフレーム３の残っているＰＨＹインターフェースの個数は２個である。ＡＰは、ＳＴＡ３に２個のＰＨＹインターフェースを全部割り当てる。即ち、ＣＴＳフレーム３に含まれて伝達される無線リソース割当情報による割当ＰＨＹインターフェースの個数の値は２に設定される。これによって、残っているＰＨＹインターフェースの個数の値は０となる。
【００７１】
次に、ＶＨＴ  ＡＰ  ＳＴＡは、ＳＤＭＡ情報フレームを送信してアップリンク送信のために各々のＶＨＴ  ｎｏｎ−ＡＰ  ＳＴＡに割り当てたＰＨＹインターフェース、チャネル帯域幅情報を再び伝達することができる（Ｓ７７０）。ＳＤＭＡ情報フレームの送信は、システムの性能または無線リソースの利用（ｕｔｉｌｉｚａｔｉｏｎ）を最適化するためのオプション機能である。また、データがＳＴＡ１、ＳＴＡ２、ＳＴ３にマルチキャストまたはブロードキャストされる（Ｓ７８０）。
【００７２】
ここで、ＣＴＳフレーム３がブロードキャスティングまたはマルチキャスティングされることによってＳＴＡ４も残っているＰＨＹインターフェースの個数の値が０に設定されたＣＴＳフレーム３を受信するようになる。そのとき、ＳＴＡ４は、送信を希望するデータストリームがあるにもかかわらず、ＲＴＳフレームを送信する代わりにＮＡＶを再設定する（Ｓ７９０）。
【００７３】
図８は、図４または図７を参照して説明した実施例で送信されるＳＤＭＡ情報フレームの一例を示す。
【００７４】
アップリンク送信のためのＳＤＭＡ情報は、ＳＤＭＡ情報フレームの形態を有することができ、ＳＤＭＡ情報フレームは、ソースＳＴＡアドレスフィールド８１０、データストリームの個数フィールド８２０、チャネル帯域幅フィールド８３０、ＳＤＭＡ  ＴＸＯＰ持続時間フィールド８４０、データトラフィック類型（Ｄａｔａ  Ｔｒａｆｆｉｃ  Ｔｙｐｅ）フィールド８５０などを含むことができる。
【００７５】
ソースＳＴＡアドレスフィールド８１０は、ＳＤＭＡ情報フレームを受信し、また、アップリンクデータストリームを送信するようになるＳＴＡのＭＡＣアドレス情報を示すフィールドである。また、データストリームの個数フィールド８２０は、ＳＴＡがＡＰに同時にアップリンク送信するデータストリームの個数を示す。即ち、送信インターフェース（ＴＸ  ｉｎｔｅｒｆａｃｅ）の数を示す。
【００７６】
従って、ＳＴＡは、データストリームの個数フィールド８２０を介してＡＰにデータストリームの送信のために使用する無線リソース、即ち、ＰＨＹインターフェースの個数を知ることができる。チャネル帯域幅フィールド８３０は、ＡＰにデータストリームをアップリンク送信時に使用するチャネル帯域幅に対する情報を含む。ＳＤＭＡ  ＴＸＯＰ持続時間フィールド８４０は、アップリンク送信機会の持続時間を示す。データトラフィック類型フィールド８５０は、アップリンクデータストリームのトラフィック類型或いはＴＩＤ（Ｔｒａｆｆｉｃ  Ｉｄｅｎｔｉｆｉｃａｔｉｏｎ）値を含む。もし、データトラフィック類型フィールドがＡＣ＿ＶＯ（Ａｃｔｉｏｎ  Ｃａｔｅｇｏｒｙ＿Ｖｏｉｃｅ）を示す場合、ＳＴＡは、トラフィック類型がＡＣ＿ＶＯに該当するデータのみアップリンク送信をするようになる。
【００７７】
図９は、本発明の実施例に係る無線リソース割当方法が実行される端末を示す。前述したＳＴＡが図９に示す端末の一例である。
【００７８】
端末は、プロセッサ（ｐｒｏｃｅｓｓｏｒ）９１０とＲＦ（ｒａｄｉｏ  ｆｒｅｑｕｅｎｃｙ）部（ｕｎｉｔ）９２０を含む。メモリ９３０は、プロセッサ９１０と連結され、プロセッサ９１０を駆動するための多様な情報を格納する。メモリ９３０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。その他、無線通信装置は、ディスプレイ部やユーザインターフェースをさらに含むことができるが、図面上に示さずに、詳細な説明も省略する。
【００７９】
プロセッサ９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。プロセッサ９１０は、他のＳＴＡまたはＡＰに送信するデータや制御信号、特にＲＴＳフレームやデータストリームを生成する。送信するデータストリームの個数情報や割当される無線リソースの量に対する情報を生成することができ、このような情報をＲＴＳフレームに含ませて送信することは本発明の実施例のうち一つに該当する。
【００８０】
ＲＦ部９２０は、プロセッサ９１０と連結され、プロセッサ９１０で生成された無線信号を送信し、他の無線通信装置が送った無線信号を受信する。ＲＦ部９２０は、無線信号を処理するためのベースバンド回路を含むことができる。信号送信方式は、ブロードキャストまたはユニキャスト方式である。本発明の実施例に係る無線リソース割当方法とそれによるデータストリーム送信を実行する端末は多重アンテナをサポートすると仮定する。ＲＦ部９２０は、複数のアンテナを介して複数のデータストリームを各ＳＴＡに送信することができる。また、ＲＦ部９２０は、ＡＰからＣＴＳフレームやＳＤＭＡ情報などを受信する。
【００８１】
ＲＦ部９２０を介してＡＰから無線リソース割当情報を受信すると、プロセッサがこれに相応してデータストリームの送信を制御したり、或いはＮＡＶを再設定することができる。
【００８２】
前述した全ての方法は、前記方法を実行するようにコーディングされたソフトウェアやプログラムコードなどによるマイクロプロセッサ、制御器、マイクロ制御器、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなプロセッサまたは図３に示す端末のプロセッサにより実行されることができる。前記コードの設計、開発及び具現は、本発明の説明に基づいて当業者に自明である。
【００８３】
以上、本発明に対して実施例を参照して説明したが、該当技術分野の通常の知識を有する者は、本発明の技術的思想及び領域から外れない範囲内で本発明を多様に修正及び変更させて実施することができることが理解可能である。従って、本発明は、前述した実施例に限定されるものではなく、特許請求の範囲内の全ての実施例を含む。
【図１】
0005679539.tif 000002
【図２】
0005679539.tif 000003
【図３】
0005679539.tif 000004
【図４】
0005679539.tif 000005
【図５】
0005679539.tif 000006
【図６】
0005679539.tif 000007
【図７】
0005679539.tif 000008
【図８】
0005679539.tif 000009
【図９】
0005679539.tif 000010